(57)【要約】【課題】この発明は、構成簡易にして、容易な製作を実現し得、且つ、安定した高品質な着脱操作を実現し得るようにすることにある。【解決手段】プラグイン構造の接続コネクタ２０を筐体１０に取付け配置して、この接続コネクタ２０の接続部１９を筐体１０内に配し、この接続部１９と筐体１０内のサーキュレータ部１１の出力ポート１４との間を衝撃吸収用の第１及び第２のダンパー部材１６，１８を介在して電気的に配線接続するように構成したものである。【選択図】      図２
2010193078.tif 000002
【特許請求の範囲】
【請求項１】
入力ポート、アイソレーションポート及び出力ポートが設けられ、筐体内に前記入力ポート及びアイソレーションポートが突設されて収容されるサーキュレータ部と、
前記筐体に突設され、機器接続用のプラグイン構造の接続コネクタと、
この接続コネクタと前記サーキュレータ部の出力ポートとの間を電気的に接続するもので、前記接続コネクタのコネクタ着脱時の衝撃力を吸収するダンパー部材と、
を具備することを特徴とするサーキュレータ。
【請求項２】
前記ダンパー部材は、金属製板材で形成され、異なる方向の衝撃力を吸収する前記接続コネクタに接続される第１のダンパー部材と前記出力ポートに接続される第２のダンパー部材で形成されることを特徴とする請求項１記載のサーキュレータ。
【請求項３】
前記第１及び第２のダンパー部材は、一方が接続コネクタの着脱方向の衝撃力を吸収し、他方が着脱方向と直交する方向の衝撃力を吸収することを特徴とする請求項１又は２記載のサーキュレータ。
【請求項４】
前記第１及び第２のダンパー部材は、それぞれ中間部に曲げ部が形成され、端部がそれぞれ半田接続されて前記筐体内に配置されることを特徴とする請求項１乃至３のいずれか記載のサーキュレータ。
【発明の詳細な説明】
【技術分野】
【０００１】
この発明は、例えばテレビジョン放送システムの送信機における大出力増幅器等に用いるのに好適するサーキュレータに関する。
【背景技術】
【０００２】
一般に、この種のサーキュレータは、入力ポート、アイソレーションポート及び出力ポートがサーキュレータ部に設けられ、その入力ポートから入力された信号をサーキュレータ部を経由して出力ポートから増幅器等の外部機器に伝送する。
【０００３】
このようなサーキュレータは、その出力ポートに対して外部機器を接続する場合、その接続状態を確実に維持するために、各種の接続構造が提案されている。例えば、相互間を固定金具で強固に固定したり、あるいは相互の筐体同士を機械的に結合させたりする方法が採用されている（例えば、特許文献１参照。）。
【０００４】
ところで、このようなサーキュレータのうち大電力の信号伝送に供する構成のものは、その接続構造として、いわゆるプラグイン構造の接続コネクタをサーキュレータ側の出力ポートに接続配置して、この接続コネクタを、外部機器の接続コネクタに機械的に接続することで相互間を電気的に接続する方法が採られているものがある。このサーキュレータ側の接続コネクタは、挿入損出やＶＳＷＲ等の性能特性の劣化を防止するために、その出力ポートに対してセミリジッド型のケーブルや印刷基板等を介して接続配置して、外部機器とのコネクタ着脱時における衝撃からサーキュレータ側の出力ポートを保護するように配慮されている。
【先行技術文献】
【特許文献】
【０００５】
【特許文献１】実公昭６３−１８１６４号公報
【発明の概要】
【発明が解決しようとする課題】
【０００６】
しかしながら、上記プラグイン構造の接続コネクタを用いたサーキュレータでは、サーキュレータ部の出力ポートと接続コネクタの配線接続を含む組付け作業が非常に面倒であり、しかも、その配線スペースが必要となるために、大形となるという問題を有する。
【０００７】
この発明は、上記の事情に鑑みてなされたもので、構成簡易にして、容易な製作を実現し得、且つ、安定した高品質な着脱操作を実現し得るようにしたサーキュレータを提供することを目的とする。
【課題を解決するための手段】
【０００８】
この発明は、入力ポート、アイソレーションポート及び出力ポートが設けられ、筐体内に前記入力ポート及びアイソレーションポートが突設されて収容されるサーキュレータ部と、前記筐体に突設され、機器接続用のプラグイン構造の接続コネクタと、この接続コネクタと前記サーキュレータ部の出力ポートとの間を電気的に接続するもので、前記接続コネクタのコネクタ着脱時の衝撃力を吸収するダンパー部材とを備えてサーキュレータを構成した。
【０００９】
上記構成によれば、サーキュレータ部は、出力ポートがダンパー部材を介して筐体に突設した接続コネクタに接続され、該接続コネクタが外部機器の接続コネクタに着脱されると、その着脱に伴う外力がダンパー部材で吸収され、その出力ポートへの伝達が阻止されて所期の配線接続が維持される。これにより、挿入損出やＶＳＷＲ等の性能特性の劣化の防止を実現したうえで、外部機器との安定した高品質な着脱操作を実現することが可能となり、しかも、サーキュレータ部の出力ポートへの接続コネクタの容易な組付け配置を実現することが可能となる。
【００１０】
また、これによれば、配線系統の簡略化が図れて、小形化の促進を図ることが可能となり、容易な製作が可能となる。
【発明の効果】
【００１１】
以上述べたように、この発明によれば、構成簡易にして、容易な製作を実現し得、且つ、安定した高品質な着脱操作を実現し得るようにしたサーキュレータを提供することができる。
【図面の簡単な説明】
【００１２】
【図１】この発明の一実施の形態に係るサーキュレータの外観を示した平面図である。
【図２】図１を側面から見た状態で筐体を断面して示した断面図である。
【図３】図１の筐体からサーキュレータ部を取出して示した斜視図である。
【発明を実施するための形態】
【００１３】
以下、この発明の実施の形態について、図面を参照して詳細に説明する。
【００１４】
図１は、この発明の一実施の形態に係るサーキュレータを示すもので、筐体１０は、所望の強度を有して形成され、その内部には、図２に示すようにサーキュレータ部１１が収容される。このサーキュレータ部１１の一方端には、例えばストリップ線路で形成された入力ポート１２及びアイソレーションポート１３が突設され、この入力ポート１２及びアイソレーションポート１３は、筐体１０から外部接続可能に突出される。
【００１５】
また、サーキュレータ部１１の他方端には、例えばストリップ線路で形成された出力ポート１４が突設される。この出力ポート１４は、筐体１０内に配置された第１の接続ターミナル１５に例えば半田接続され（図３参照）、この第１の接続ターミナル１５に接続された出力ポート１４には、衝撃吸収用のダンパー部材を構成する第１のダンパー部材１６の一端が、例えば半田接続される。この第１のダンパー部材１６は、例えば金属材料で中間部に湾曲状等の曲げ部を有した板状に形成され、その他端が、第２の接続ターミナル１７に半田接続されて配置される。
【００１６】
この第２の接続ターミナル１７は、上記第１の接続ターミナル１５に対して出力ポート１４の突出方向（図３中矢印Ａ方向）と直交する方向に所定の間隔を有して並設されて筐体１０内に配置される。そして、この第２の接続ターミナル１７に接続された第１のダンパー部材１６の他端には、衝撃吸収用ダンパー部材を構成する第２のダンパー部材１８の一端が例えば半田接続される。この第２のダンパー部材１８は、例えば金属材料で中間部に湾曲状等の曲げ部を有した板状に形成され、その他端が、上記筐体１０内に突設された接続部１９に対して、例えば半田接続される。
【００１７】
ここで、第１及び第２のダンパー部材１６，１８は、その弾性変形方向が異なる方向、例えば第１のダンパー部材１６が、出力ポート１４の突出方向（図３中矢印Ａ方向）に対して直交する方向（図３中矢印Ｂ方向）に弾性変形自在に配置され、他方の第２のダンパー部材１８が、出力ポート１４の突出方向に弾性変形自在に配置される。これら第１及び第２のダンパー部材１６、１８の中間部に設ける曲げ部の数としては、一箇所、あるいは複数箇所、適宜に設けられる。
【００１８】
上記接続部１９は、上記筐体１０内に突設されて配置され、筐体１０の外壁側に突設配置されたプラグイン構造の接続コネクタ２０に対して一体形成されている。これにより、接続部１９は、筐体１０に突設された接続コネクタ２０に対して図示しない外部機器に設けられたプラグイン構造の接続コネクタが装着されると、該外部機器（図示せず）とサーキュレータ部１１との間の電気的接続が第１及び第２のダンパー部材１６，１８、出力ポート１４を介して実現される。
【００１９】
上記構成において、筐体１０の接続コネクタ２０は、上記外部機器の接続コネクタ（図示せず）が装着されて合体され、相互間が電気的に接続されると、装着時、その接続部１９に対して外力（衝撃力）が付与される。すると、この接続部１９に付与された外力は、そのうち矢印Ａ方向の外力が第２のダンパー部材１８により吸収され、矢印Ｂ方向の外力が第１のダンパー部材１６により吸収される。
【００２０】
これにより、筐体１０内のサーキュレータ部１１の出力ポート１４には、コネクタ装着時に付与される外力が直接的に付与されず、接続部１９に対して第１及び第２のダンパー部材１６，１８を介して挿入損出やＶＳＷＲ等の性能特性の低下を起こすことの無い高品質な配線接続が維持される。
【００２１】
そして、外部機器の接続コネクタ（図示せず）が筐体１０の接続コネクタ２０から抜脱された場合においても、同様に接続コネクタ２０の接続部１９に付与された外力は、第１及び第２のダンパー部材１６，１８により吸収され、サーキュレータ部１１の出力ポート１４に付与されることが防止される。これにより、サーキュレータ部１１の出力ポート１４は、接続コネクタ２０の装着時の外力から保護されて、所期の性能特性を維持することができる。
【００２２】
このように、上記サーキュレータは、プラグイン構造の接続コネクタ２０を筐体１０に取付け配置して、この接続コネクタ２０の接続部１９を筐体１０内に配し、この接続部１９と筐体１０内のサーキュレータ部１１の出力ポート１４との間を衝撃吸収用の第１及び第２のダンパー部材１６，１８を介在して電気的に配線接続するように構成した。
【００２３】
これによれば、サーキュレータ部１１は、出力ポート１４が第１及び第２のダンパー部材１６，１８を介して筐体１０に突設した接続コネクタ２０の接続部１９に接続され、該接続コネクタ２０と上記外部機器の接続コネクタ（図示せず）とが着脱されて外力が発生すると、その外力が第１及び第２のダンパー部材１６，１８で吸収され、その出力ポート１４への伝達が阻止されて所期の配線接続が維持される。
【００２４】
この結果、挿入損出やＶＳＷＲ等の性能特性の劣化の防止を実現したうえで、外部機器（図示せず）との安定した高品質な着脱操作を実現することができ、しかも、サーキュレータ部１１の出力ポート１４と接続コネクタ２０の接続部１９との容易な組付け配置を実現することができる。また、筐体１０内における配線系統の簡略化が図れ、小形化の促進を図ることができ、その製作性の向上を図ることができる。
【００２５】
なお、上記実施の形態では、衝撃吸収用ダンパー部材として、第１及び第２のダンパー部材１６，１８の２個に分離配置するように構成した場合について説明したが、これに限ることなく、その他、例えば１個、あるいは３個以上に分離配置して構成することも可能で、同様に有効な効果が期待される。
【００２６】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００２７】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００２８】
１０…筐体、１１…サーキュレータ部、１２…アイソレーションポート、１３…入力ポート、１４…出力ポート、１５…第１の接続ターミナル、１６…第１のダンパー部材、１７…第２の接続ターミナル、１８…第２のダンパー部材、１９…接続部、２０…接続コネクタ。
【図１】
2010193078.tif 000003
【図２】
2010193078.tif 000004
【図３】
2010193078.tif 000005